(57)【要約】【課題】配線への鉛直方向の張力だけではなく、側面板から引き離そうとする張力に対しても電線と端子台との接続部分に張力が加わらないようにすることができる空気調和機の室外機を提供する。【解決手段】空気調和機の室外機１は、側面板７の上寄りの位置に設置された端子台３、４と、側面板７の略中央に着脱自在に設置され配線２５を押さえるための配線押さえ金具６と、を有し、側面板７の高さ方向の略中央に外側に向かって突出した１条の側面板突条１２が形成され、側面板７に向かって突出した２条の金具突条９、１０が配線押さえ金具６に形成され、配線押さえ金具６が側面板７に設置された際、側面板突条１２が高さ方向で金具突条９、１０同士の間に位置し、配線２５が側面板突条１２と金具突条９、１０とによって、略Ｖ字状に屈曲された状態で挾持される。【選択図】図５
2013019643.tif 000002
【特許請求の範囲】
【請求項１】
本体の側面板の上寄りの位置に設置され、配線を接合するための端子台と、前記側面板の高さ方向の略中央に着脱自在に設置され、前記端子台に接合された配線を押さえるための配線押さえ金具と、を有し、
前記側面板の高さ方向の略中央に、外側に向かって突出した１条または２条以上の側面板突条が形成され、前記側面板に向かって突出した２条の金具突条が前記配線押さえ金具に形成され、
前記配線押さえ金具が前記側面板に設置された際、前記側面板突条の少なくとも１条が高さ方向で前記金具突条同士の間に位置し、前記配線が前記側面板突条と前記金具突条とによって屈曲された状態で挾持されることを特徴とする空気調和機の室外機。
【請求項２】
前記側面板突条が１条であって、
前記配線押さえ金具が前記側面板に設置された際、前記側面板突条が、前記側面板の高さ方向で前記金具突条同士の間に位置し、前記配線が前記側面板突条と前記金具突条とによって、略Ｖ字状に屈曲された状態で挾持されることを特徴とする請求項１記載の空気調和機の室外機。
【請求項３】
前記側面板突条が２条であって、
前記配線押さえ金具が前記側面板に設置された際、前記側面板突条のうち前記側面板の高さ方向の高い方に形成された側面板突条が、前記側面板の高さ方向で前記金具突条よりも高い位置に配置され、前記側面板突条のうち前記側面板の高さ方向の低い方に形成された側面板突条が、前記側面板の高さ方向で前記金具突条同士の間に位置し、前記配線が前記側面板突条と前記金具突条とによって、略Ｎ字状に屈曲された状態で挾持されることを特徴とする請求項１記載の空気調和機の室外機。
【請求項４】
前記側面板突条が３条であって、
前記配線押さえ金具が前記側面板に設置された際、前記側面板突条のうち前記側面板の高さ方向の高い方に形成された側面板突条が、前記側面板の高さ方向で前記金具突条よりも高い位置に配置され、前記側面板突条のうち前記側面板の高さ方向の中央に形成された側面板突条が、前記側面板の高さ方向で前記金具突条同士の間に位置し、前記側面板突条のうち前記側面板の高さ方向の低い方に形成された側面板突条が、前記側面板の高さ方向で前記金具突条よりも低い位置に配置され、前記配線が前記側面板突条と前記金具突条とによって、略Ｗ字状に屈曲された状態で挾持されることを特徴とする請求項１記載の空気調和機の室外機。
【発明の詳細な説明】
【技術分野】
【０００１】
本発明は空気調和機の室外機、特に、空気調和機の室内機等との間に設置される配線を有する空気調和機の室外機に関するものである。
【背景技術】
【０００２】
空気調和機の室外機は、筐体の外面に端子台が設置され、該端子台に接続された内外接続電線や電源電線等が、空気調和機の室内機あるいは外部電源に接続されている。
そして、室外機を設置する際に、電線に予期しない力が作用した場合であっても、電線と端子台との接続部分に張力が加わり、接触不良や断線などを起こすことを防ぐための「空気調和機の電線押え装置」が開示されている（例えば、特許文献１参照）。
【先行技術文献】
【特許文献】
【０００３】
【特許文献１】特開平１０−１４８３５９号公報（第１−２頁、図１）
【発明の概要】
【発明が解決しようとする課題】
【０００４】
しかしながら、特許文献１に開示された発明は、空気調和機本体の電源板に設けられた電線固定強化リブと、電線を固定する電線押え具と、電線押え具を電源板に固定するための電源押え具固定装置とを有し、電線固定強化リブを電線押え具から電線を引き抜く方向に一定距離だけ離れた部分に設けたものある。
すなわち、電線へ鉛直（電源板に平行で下方向）に荷重を加えた場合に対し、電線が抜け落ちるなどの接触不良や断線が生じないようにするため、電線と端子台部分へ張力が加わらない構造となっている。
しかしながら、据付作業時などでは、鉛直に荷重が加えられるとは限られず、室外機の側面から見て手前方向（電源板から離れる方向）へ張力が加わる可能性もあり、その場合、電線と端子台との接続部分に張力が加わり接触不良や断線が生じる可能性があるという問題があった。
【０００５】
この発明は上記のような問題を解決するためになされたもので、配線（内外接続電線や電源電線等）への鉛直方向の張力だけではなく、室外機側面から見て手前方向（室外機側面から離れる方向）の張力に対しても電線と端子台との接続部分に張力が加わらないようにし、接触不良や断線を防止することができる空気調和機の室外機を提供することを目的とする。
【課題を解決するための手段】
【０００６】
本発明に係る空気調和機の室外機は、本体の側面板の上寄りの位置に設置され、配線を接合するための端子台と、前記側面板の高さ方向の略中央に着脱自在に設置され、前記端子台に接合された配線を押さえるための配線押さえ金具と、を有し、前記側面板の高さ方向の略中央に、外側に向かって突出した１条または２条以上の側面板突条が形成され、前記側面板に向かって突出した２条の金具突条が前記配線押さえ金具に形成され、前記配線押さえ金具が前記側面板に設置された際、前記側面板突条の少なくとも１条が高さ方向で前記金具突条同士の間に位置し、前記配線が前記側面板突条と前記金具突条とによって屈曲された状態で挾持されることを特徴とする。
【発明の効果】
【０００７】
本発明に係る空気調和機の室外機は、側面板に形成された１条または２条以上の側面板突条と、配線押さえ金具に形成された２条の金具突条とによって、配線が屈曲された状態で挟圧されるから、鉛直方向の張力が加わった場合だけではなく、側面板から引き離す方向の張力が加わった場合でも、金具突条が配線に食い込むため、配線と端子部との接続部に張力が加わることが防止される。そのため、鉛直方向の張力だけではなく、側面板から引き離す方向の張力に対しても接触不良や断線を防止することができる。
【図面の簡単な説明】
【０００８】
【図１】本発明の実施の形態１に係る空気調和機の室外機の全体を示す側面図。
【図２】図１に示す室外機の一部（端子台）を拡大して示す側面図。
【図３】図１に示す室外機の一部（側面板）を拡大して示す側面図。
【図４】図１に示す室外機の一部（配線押さえ金具）を拡大して示す側面図。
【図５】図１に示す室外機の一部（側面板）を拡大して示す正面視の断面図。
【図６】図１に示す室外機の一部（側面板）を拡大して示す平面視の断面図。
【図７】本発明の実施の形態２に係る空気調和機の室外機を説明する一部（側面板）を拡大して示す正面視の断面図。
【発明を実施するための形態】
【０００９】
［実施の形態１］
図１〜図６は本発明の実施の形態１に係る空気調和機の室外機を説明するものであって、図１は全体を示す側面図、図２は一部（端子台）を拡大して示す側面図、図３は一部（側面板）を拡大して示す側面図、図４は一部（配線押さえ金具）を拡大して示す側面図、図５は一部（側面板）を拡大して示す正面視の断面図、図６は一部（側面板）を拡大して示す平面視の断面図である。
なお、各部は模式的に説明するものであって、本発明は図示された形態に限定するものではない。また、室外機の各部の関係を明瞭にするため、室外機が設置された状態において、上方向を「Ｚ方向」、側面を見たときの左右方向を「Ｘ方向」、側面から垂直方向で室外機から遠ざかる方向を「Ｙ方向」とする。
【００１０】
図１において、空気調和機の室外機（以下、「室外機」と称す）１の、側面板７の高さ方向の上寄りには、室外機１と室内機（図示しない）とを接続する内外接続電線２の一方の端部を固定する為の端子台３が設けられている。
また、室外機１から室内機に電力を供給する為の電源電線５の一方の端部を固定する為の端子台４が、端子台３に並んで設けられている（なお、室内機に電力を送らない場合には、電源電線５は不要であるから、端子台４は設けられない）。
そして、内外接続電線２および電源電線５（以下、まとめて「配線２５」と称す）を押さえるための配線押さえ金具６が、室外機１の側面板７に取り付けられている。
【００１１】
図２において、内外接続電線２の一方の端部２ａは、端子台３に設けられた接続穴３ａに差し込まれている。電源電線５の一方の端部５ａは、ブレーカー（図示しない）と室外機１とを接続して電力を供給するため、端子台４に設けられた接続穴４ａへ差し込まれている。
【００１２】
図３〜図６において、側面板７の高さ方向の略中央に、外側に向かって（＋Ｙ方向）突出した、互いに略平行なＸ方向に長い側面板突条１１、１２が形成されている。そして、側面板７に向かって見たとき、側面板突条１２の左側（−Ｘ側）に差し込み孔７ａが形成され、側面板突条１２の右側（＋Ｘ側）に雌ネジ７ｂが形成されている。
一方、配線押さえ金具６は、押さえ面６ｃと、押さえ面６ｃに平行な設置面６ａ、６ｂとを具備する板材である。
押さえ面６ｃには、互いに略平行なＸ方向に長い金具突条９、１０が形成され、設置面６ｂにはネジ用孔（バカ穴）８ｂが形成され、設置面６ａの端縁には差し込み片６ｄが形成されている。
【００１３】
そして、差し込み孔７ａに差し込み片６ｄが挿入され、雌ネジ７ｂにネジ用孔８ｂを貫通した雄ネジ（ボルトに同じ）８を螺合した状態で、配線押さえ金具６は側面板７に設置されている。
このとき、差し込み片６ｄは−Ｙ方向に向かって差し込み孔７ａに挿入された後、押さえ面６ｃが側面板７と平行になるように傾動されたものであるから、かかる動作を逆に辿らない限り、差し込み片６ｄが差し込み孔７ａから抜け出すことはない。
また、金具突条９と金具突条１０（−Ｙ方向に突出している）との中間に側面板突条１２（＋Ｙ方向に突出している）が配置され、それらは互いに略平行になっている。
【００１４】
すなわち、配線２５（図５において中心線を一点鎖線にて模式的に示す）は略Ｎ字状（図５において、Ｎの鏡文字）に屈曲した状態で、金具突条９、１０と側面板突条１１、１２とによって挾持される。
したがって、金具突条９に対して、金具突条１０および側面板突条１２が配置されているから、配線２５に室外機１の側面板７から引き離す方向（＋Ｙ方向）へ張力が加わった場合でも、金具突条９および金具突条１０は、配線２５に食い込むため、かかる張力が配線押さえ金具６に加わる構造になっている。
このため、内外接続電線２の端部２ａと端子台３の接続穴３ａとの接続部、および電源電線５の端部５ａと端子台４の接続穴４ａとの接続部に張力が加わることが防止されるから、内外接続電線２や電源電線５の接触不良や断線などを起こすことが防止される。
【００１５】
さらに、側面板突条１１に対して、金具突条９および側面板突条１２が設けられているから、室外機１の側面板７の奥方向（−Ｙ方向）へ張力が加わった場合でも、側面板突条１１および側面板突条１２が、配線２５へ食い込むため、かかる張力が側面板７に加わる構造となっている。
このため、内外接続電線２の端部２ａと端子台３の接続穴３ａとの接続部、および電源電線５の端部５ａと端子台４の接続穴４ａとの接続部に張力が加わることが防止されるから、内外接続電線２や電源電線５の接触不良や断線などを起こすことが防止される。
なお、室外機１の側面板７の奥方向（−Ｙ方向）へ張力が加わることがない構造である場合には、側面板突条１１を設けなくてもよい。このとき、配線２５は、１条の側面板突条１２と２条の金具突条９、１０とによって、略Ｖ字状（図５において、略逆Ｖ字状）に屈曲された状態で把持されることになる。
【００１６】
［実施の形態２］
図７は本発明の実施の形態２に係る空気調和機の室外機を説明するものであって、一部（側面板）を拡大して示す正面視の断面図である。
図７において、空気調和機の室外機（以下、「室外機」と称す）２０は、室外機１における側面板７に、側面板突条１２に平行に側面板突条１３を設けたものであって、これを除く構成は室外機１（実施の形態１参照）に同じである。したがって、実施の形態１と同じ部分にはこれと同じ符号を付し、一部の説明を省略する。 
すなわち、配線２５（図７において中心線を一点鎖線にて模式的に示す）は、略Ｗ字状に屈曲された状態で、金具突条９、１０と側面板突条１１、１２、１３とによって挾持される。
したがって、配線２５に張力が加わった場合に、張力への反力として働く摩擦力が増える。さらに、室外機１の側面板７から離れる方向（＋Ｙ方向）へ張力が加わった場合、側面板突条１１、１２と同様に側面板突条１３も配線２５に食い込むため、内外接続電線２の端部２ａと端子台３の接続穴３ａとの接続部、および電源電線５の端部５ａと端子台４の接続穴４ａとの接続部に張力が加わることが防止されるから、内外接続電線２や電源電線５の接触不良や断線などを起こすことが防止される。
【符号の説明】
【００１７】
１：室外機（実施の形態１）、２：内外接続電線、２ａ：端部、３：端子台、３ａ：接続穴、４：端子台、４ａ：接続穴、５：電源電線、５ａ：端部、６：配線押さえ金具、６ａ：設置面、６ｂ：設置面、６ｃ：押さえ面、６ｄ：差し込み片、７：側面板、７ａ：差し込み孔、７ｂ：雌ネジ、８：雄ネジ、８ｂ：ネジ用孔、９：金具突条、１０：金具突条、１１：側面板突条、１２：側面板突条、１３：側面板突条、２５：配線、２０：室外機（実施の形態２）。
【図１】
2013019643.tif 000003
【図２】
2013019643.tif 000004
【図３】
2013019643.tif 000005
【図４】
2013019643.tif 000006
【図５】
2013019643.tif 000007
【図６】
2013019643.tif 000008
【図７】
2013019643.tif 000009